(57)【要約】【課題】沈殿物の除去性能に優れていることは勿論、駆動プーリおよびベルト間のスリップを防止する。【解決手段】沈殿物除去装置は、沈殿可能物を含む汚液が入れられる汚液槽11と、汚液槽11の内外にわたって循環させられかつベルト内面を上に向けて汚液槽11内をベルト内面上に沈殿物Sを堆積させるように移動する後向き移動経路42を有しているエンドレス・ベルト26と、ベルト26の内面が所定テンションで押圧されている駆動プーリ22とを備えている。駆動プーリ22の外面に、これの軸方向にのびた突条71が設けられている。ベルト26の内面に、突条71に係合されうる複数の沈殿物滑止用横桟72がベルト移動方向に一定間隔で設けられている。【選択図】  図１
2011224448.tif 000002
【特許請求の範囲】
【請求項１】
沈殿可能物を含む汚液が入れられる汚液槽と、汚液槽の内外にわたって循環させられかつベルト内面を上に向けて汚液槽内をベルト内面上に沈殿物を堆積させうるように移動する後向き移動経路を有しているエンドレス・ベルトと、ベルトの内面が所定テンションで押圧されている駆動プーリとを備えており、駆動プーリの外面に、これの軸方向にのびた突条が設けられており、ベルトの内面に、突条に係合されうる複数の沈殿物滑止用横桟がベルト移動方向に一定間隔で設けられている沈殿物除去装置。
【請求項２】
ベルトが、その内面を下に向けて汚液槽の上方を移動する前向き移動経路を有しており、前向き移動経路の下方に沈殿物トレーが配置されており、前向き移動経路途上に、ベルト内面に堆積した沈殿物を沈殿物トレー内へ落下させるようにベルト内面から除去する除去手段が配置されている請求項１に記載の沈殿物除去装置。
【請求項３】
駆動プーリが、汚液槽の上方に配置されており、駆動プーリから後方に間隔をおいた汚液槽の上方に、ベルト移動方向にそってのびかつベルト内面に摺接させられたガイド板が配置されており、ガイド板および駆動プーリ間に前向き移動経路が形成されており、ガイド板のベルト移動方向下流側端部は、沈殿物トレーの上方に達している請求項２に記載の沈殿物除去装置。
【請求項４】
汚液槽内に、第１従動プーリおよび第２従動プーリが前後方向に間隔をおいて配置されており、ベルトは、駆動プーリ、第１従動プーリ、第２従動プーリおよびガイド板にベルト移動方向に順次巻き掛けられており、第１従動プーリおよび第２従動プーリ間に後向き移動経路が形成されており、後向き移動経路終端および前向き移動経路始端が上向き移動経路で連絡されており、前向き移動経路終端および後向き移動経路始端が下向き移動経路で連絡されている請求項３に記載の沈殿物除去装置。
【発明の詳細な説明】
【技術分野】
【０００１】
この発明は、例えば、工作機械の研削等で用いるクーラント等の汚液からスラッジ等の沈殿物（堆積物）を除去する沈殿物除去装置に関する。
【背景技術】
【０００２】
ワークが鉄等の磁性体である場合、スラッジ等をマグネットで吸着して除去することが一般的に行われている。
【０００３】
ワークが非磁性体の場合、つぎのようなことが行われている。
【０００４】
１．汚液槽内で沈殿物を十分に沈殿させた後、上澄み液を別の容器に移し、汚液槽からスコップ等で沈殿物をかき出す。
【０００５】
２．スラッジと液を撹拌してポンプで引き抜き遠心分離機等で処理する。
【０００６】
３．汚液槽の底のスラッジを沈殿させ、これを直接掻き刃をチェーン駆動して掻き寄せ、掻き上げる。この場合、細かいスラッジ等は上がらないし、掻き上げた沈殿物は含水率が高く効率が悪い。
【０００７】
上記のやり方は、短時間で多頻度で行うことが必要で、人手が掛かったり、費用が掛かる割には能率が悪い。
【０００８】
そこで、上記課題を解決するために、本出願人は、先に、沈殿物除去装置を提案した。即ち、この沈殿物除去装置は、沈殿可能物を含む汚液が入れられる汚液槽と、汚液槽の内外にわたって循環させられかつベルト外面を上に向けて汚液槽内をベルト外面上に沈殿物を堆積させるように移動する後向き移動経路を有しているエンドレス・ベルトと、ベルトの内面が所定テンションで押圧されている駆動プーリとを備えており、ベルトの外面に複数の沈殿物滑止用横桟がベルト移動方向に一定間隔で設けられているものである。（例えば、特許文献１参照。）。
【０００９】
この種の沈殿物除去装置によれば、効率よく沈殿物を除去することはできるが、メンテナンスの面で、例えば、つぎのような問題点があった。
【００１０】
ベルトは、常時、汚液槽内の汚液によって濡らされた状態で、駆動プーリの周囲を移動させられる。このときに、ベルト内面および駆動プーリ外面間には汚液が咬み込まれる。ベルトの外面には横桟があるが、ベルト内面は平滑である。そのため、ベルト内面および駆動プーリ外面間にスリップが生じる恐れがあった。ベルトに駆動プーリの動力を確実に伝達するためには、テンションを適切に設定することが必要であったが、これは容易でなかった。
【先行技術文献】
【特許文献】
【００１１】
【特許文献１】特開２００７−０６１７８１号公報
【発明の概要】
【発明が解決しようとする課題】
【００１２】
この発明の目的は、上記沈殿物除去装置の改良に係るものであって、沈殿物の除去性能に優れていることは勿論、駆動プーリおよびベルト間のスリップを防止することのできる沈殿物除去装置を提供することにある。
【課題を解決するための手段】
【００１３】
この発明による沈殿物除去装置は、沈殿可能物を含む汚液が入れられる汚液槽と、汚液槽の内外にわたって循環させられかつベルト内面を上に向けて汚液槽内をベルト内面上に沈殿物を堆積させうるように移動する後向き移動経路を有しているエンドレス・ベルトと、ベルトの内面が所定テンションで押圧されている駆動プーリとを備えており、駆動プーリの外面に、これの軸方向にのびた突条が設けられており、ベルトの内面に、突条に係合されうる複数の沈殿物滑止用横桟がベルト移動方向に一定間隔で設けられているものである。
【００１４】
この発明による沈殿物除去装置では、突条および横桟の噛み合いによって、駆動プーリおよびベルト間のスリップを確実に防止することができる。
【００１５】
さらに、ベルトが、その内面を下に向けて汚液槽の上方を移動する前向き移動経路を有しており、前向き移動経路の下方に沈殿物トレーが配置されており、前向き移動経路途上に、ベルト内面に堆積した沈殿物を沈殿物トレー内へ落下させるようにベルト内面から除去する除去手段が配置されていることが好ましい。
【００１６】
ベルト上に堆積させられた沈殿物は液体を含んでいる。液体とともに沈殿物をトレーに収容すると、トレーから液体が溢れることがある。トレーが、例えば、汚液槽の側方等に配置されていると、トレーから溢れた液体が周辺に飛び散って、液体で汚される可能性があるが、汚液槽の上方にトレーが配置されていると、溢れた液体は汚液槽内に戻されるため、液体によって汚液槽の周辺が汚染される心配がない。
【００１７】
また、駆動プーリが、汚液槽の上方に配置されており、駆動プーリから後方に間隔をおいた汚液槽の上方に、ベルト移動方向にそってのびかつベルト内面に摺接させられたガイド板が配置されており、ガイド板および駆動プーリ間に前向き移動経路が形成されており、ガイド板のベルト移動方向下流側端部は、沈殿物トレーの上方に達していると、ベルトに堆積させられた沈殿物は、不用意にベルトから落下することなく、ガイド板によって沈殿物トレーの上方まで案内されて、確実に搬送される。
【００１８】
また、汚液槽内に、第１従動プーリおよび第２従動プーリが前後方向に間隔をおいて配置されており、ベルトは、駆動プーリ、第１従動プーリ、第２従動プーリおよびガイド板にベルト移動方向に順次巻き掛けられており、第１従動プーリおよび第２従動プーリ間に後向き移動経路が形成されており、後向き移動経路終端および前向き移動経路始端が上向き移動経路で連絡されており、前向き移動経路終端および後向き移動経路始端が下向き移動経路で連絡されていると、ベルト移動経路の全長にわたって、屈曲部を最小にしたスムースな経路によって連絡することができる。
【発明の効果】
【００１９】
この発明によれば、沈殿物の除去性能を損なうこと無く、駆動プーリおよびベルト間のスリップを防止することができる。
【図面の簡単な説明】
【００２０】
【図１】この発明による沈殿物除去装置の垂直縦断面図である。
【図２】図１のII-II線にそう垂直横断面図である。
【図３】同沈殿物除去装置の可動スクレーパの拡大図である。
【発明を実施するための形態】
【００２１】
この発明の実施の形態を図面を参照しながらつぎに説明する。
【００２２】
以下の説明において、前後とは、図１の左側を後、これと反対側を前といい、左右とは、後方より見て、その左右の側を左右（図２の左右）というものとする。
【００２３】
沈殿物除去装置は、沈殿可能物を含む汚液Lが入れられている上方開放箱形状汚液槽11と、汚液槽11内の沈殿物Sを、汚液槽11外まで搬送するためのコンベヤ12と、コンベヤ12で搬送中の沈殿物Sをコンベヤ12から掻き取る可動スクレーパ13と、コンベヤ12から掻き取られた沈殿物Sを回収するための沈殿物トレー14とを備えている。
【００２４】
コンベヤ12は、汚液槽11左右両側壁近くに相対するように汚液槽11底壁上に置かれかつ上部を汚液槽11の上方に突出させている左右一対の方形垂直板状フレーム21と、両フレーム21の頂部前端に渡されている駆動プーリ22と、両フレーム21の底部に前後に間隔をおいて渡されている前後一対の第１従動プーリ23および第２従動プーリ24と、両フレーム21の頂部後端に渡されている側方視逆Ｌ字状ガイド板25と、これらのプーリ22、23、24およびガイド板25にベルト移動方向に順次巻き掛けられているエンドレス・ベルト26と、駆動プーリ22の左端部に出力軸を連結している減速機付モータ27と備えている。
【００２５】
駆動プーリ22のすぐ近くの下方に位置して両フレーム21にテンションプーリ28が備えられている。
【００２６】
左フレーム21にはトレー窓31が汚液槽11よりも上方レベルに位置するように形成されている。トレー窓31の下縁部前後両端から両フレーム21間に向かって右向きて突き出した前後一対の水平状ガイドレール32が設けられている。両フレーム21には汚液窓33がそれぞれ汚液L液面を上下に横切るように形成されている。左フレーム21の汚液窓33には入口パイプ34が通されている。入口パイプ34の入口は、下に向けられかつ汚液L中に浅く没している。両フレーム21間よりも前方に出口パイプ35が配置されている。出口パイプ35の出口は、下に向けられかつ汚液L中に深く没している。出口パイプ35には循環ポンプ36が備えられている。
【００２７】
可動スクレーパ13は、後縁部に掻き刃41を有している左右方向にのびた水平帯板状ブレード42と、ブレード42が先端部に渡し止められかつ水平ピン43によって両フレーム21の対応する側に揺動自在に支持されている左右一対のアーム44と、各アーム44を水平ピン43から直立させる方向に付勢するように各アーム44と一体化されている左右一対の錘45とを備えている。
【００２８】
沈殿物トレー14は、両ガイドレール32にまたがって載せられている。沈殿物トレー14の底壁には多数の排液孔51が散在するように形成されている。排液孔51を被覆するように沈殿物トレー14の底壁上には濾紙52が敷かれている。
【００２９】
ベルト26は、汚液槽11の内外にわたってのびたエンドレス循環経路を有している。即ち、循環経路は、駆動プーリ22から第１従動プーリ23までのびた下向き移動経路61と、第１従動プーリ23から第２従動プーリ24までのびた後向き移動経路62と、第２従動プーリ24からガイド板25までのびた上向き移動経路63と、ガイド板25から駆動プーリ22までのびた前向き移動経路64とよりなる。
【００３０】
前向き移動経路64終端から下向き移動経路61始端にかけて、ベルト26内面が駆動プーリ22外面に押圧されている。上向き移動経路63終端から前向き移動経路64始端にかけて、ベルト26内面がガイド板25外面に摺接させられている。前向き移動経路64途上において、ベルト26内面に掻き刃41が接触させられている。
【００３１】
駆動プーリ22外面には、これの軸方向にのびた複数の突条71が一定ピッチで設けられている。ベルト26の内面には多数の横桟72が一定ピッチで設けられている。
【００３２】
モータ27によって、駆動プーリ22は、図１中、時計方向に駆動される。これにより、ベルト26が移動させられる。ベルト26の移動速度は、０．５ｍ／ｍｉｎ以下であることが好ましい。
【００３３】
汚液Lに含まれたスラッジ等は、時間の経過とともに、沈殿していき、ベルト26の後向き移動経路62上において堆積されて沈殿物Sとなる。後向き移動経路62から上向き移動経路63に差し掛かると、沈殿物Sは、横桟72の上に集中して堆積される。横桟72の上昇とともに沈殿物Sも上昇させられるが、この間に、沈殿物Sに含まれた水分は自重により流下して、汚液槽11に回収される。横桟72上の沈殿物Sの含水量は、低いものとなっていく。
【００３４】
上向き移動経路63から前向き移動経路64に差し掛かると、横桟72の上に集中させられた沈殿物Sは、横桟72とともにガイド板25の外面上を摺動させられる。摺動させられる沈殿物Sは、ガイド板25によって可動スクレーパ13の直ぐ近くまでガイドされ、不用意にベルト26から脱落することは無い。可動スクレーパ13によって、沈殿物Sはベルト26から掻き取られ、自重で沈殿物トレー14内に落下・収容される。沈殿物Sに含まれた液体は、排液孔51を通じて、沈殿物トレー14から排出され、汚液槽内に戻される。沈殿物トレー14を液体がオーバーフローすると、これもまた汚液槽内に戻される。
【００３５】
ベルト26が前向き移動経路64から下向き移動経路61に差し掛かると、ベルト26は、駆動プーリ22の外周にそって移動させられる。この場合、駆動プーリ22の突条71のいずれか１またはそれ以上がベルト26の横桟72に係合させられる。突条71および横桟72の係合により、ベルト26の内面が駆動プーリ22の外面に対してスリップさせられることなく、駆動プーリ22の回転にしたがって、ベルト26は確実に移動させられる。
【産業上の利用可能性】
【００３６】
この発明による沈殿物除去装置は、工作機械の研削等で用いるクーラント等の汚液からスラッジ等の沈殿物（堆積物）を除去することを達成するのに適している。
【符号の説明】
【００３７】
11  汚液槽
22  駆動プーリ
26  ベルト
62  移動経路
71  突条
72  横桟
S  沈殿物
【図１】
2011224448.tif 000003
【図２】
2011224448.tif 000004
【図３】
2011224448.tif 000005